(57)【要約】【課題】廃棄物を燃焼している過程中に発生する排気ガスを二次燃焼可能な廃棄物処理装置を提供する。【解決手段】廃棄物処理装置は、投入口Ａ１とコンベヤーＡ２と排出口Ａ３とを有する輸送装置Ａにより廃棄物を輸送する。廃棄物は、二つのロール１１を有する圧搾装置１によって圧搾される。火炙り装置２の収容空間２１の内部には輸送設備２２が設けられており、送風加熱装置３には加熱制御器３１と送風装置３２とが設けられており、ガス輸送管４１は送風加熱装置３と接続されている。火炙り装置２において輸送設備２２により輸送される廃棄物をガスで燃焼させる。このときに発生する排気ガスは、ガス輸送管４２を通過して燃焼装置４において二次燃焼することができる。この装置によると、廃棄物の燃焼時にに発生する排気ガスによる二次汚染を回避することができる。【選択図】図１
0003141449.tif 000002
【実用新案登録請求の範囲】
【請求項１】
廃棄物を輸送するための投入口とコンベヤーと排出口とを有する輸送装置と、
廃棄物を圧搾するための二つのロールを有する圧搾装置と、
収容空間の内部に輸送設備が設けられている火炙り装置と、
加熱制御器と送風装置とが設けられている送風加熱装置と、
送風加熱装置と接続するガス輸送管を有する燃焼装置とを備え、
ガスが火炙り装置に供給され、火炙り装置で発生した排気ガスがガス輸送管により輸送されて二次燃焼することを特徴とする廃棄物処理装置。
【請求項２】
前記輸送装置の底部にロールが複数に設けられていることを特徴とする請求項１記載の廃棄物処理装置。
【請求項３】
前記圧搾装置の下には、廃棄物を圧搾して発生する水を収集するための水集めユニットが設けられていることを特徴とする請求項１記載の廃棄物処理装置。
【請求項４】
前記ロールは、回転可能な切削工具であることを特徴とする請求項１記載の廃棄物処理装置。
【請求項５】
前記輸送設備は、コンベヤーと複数のローラとを含むことを特徴とする請求項１記載の廃棄物処理装置。
【請求項６】
前記火炙り装置の貯蔵箱は廃棄物輸送管の一端と連結しており、前記廃棄物輸送管の他端が前記燃焼装置の投入口と連結していることを特徴とする請求項１記載の廃棄物処理装置。
【請求項７】
前記火炙り装置には温度センサーが設けられており、温度が低下したときには、ケーブルを介して温度センサーと電気的に接続している温度制御器によってガスで加熱されることを特徴とする請求項１記載の廃棄物処理装置。
【請求項８】
前記送風装置は、送風機を含むことを特徴とする請求項１記載の廃棄物処理装置。
【請求項９】
前記燃焼装置は、廃棄物を燃焼するゴミ焼却炉であることを特徴とする請求項１記載の廃棄物処理装置。
【考案の詳細な説明】
【技術分野】
【０００１】
本考案は、廃棄物処理装置に関し、特に、廃棄物を燃焼している過程中に発生された排気ガスを二次燃焼することができる廃棄物処理装置に関する。
【背景技術】
【０００２】
動物の糞や調理の過程中に発生したゴミなどの有機廃棄物は、適当に処理しないと臭気が発生しやすく、且つ病気をもたらす細菌が急速に繁殖するので、各国の環境保全機構は有機廃棄物の処理を主な仕事としている。
【０００３】
従来は、動物の糞や調理の過程中に発生したゴミなどの有機廃棄物が、一般ゴミに混入されゴミ埋め場に送られて埋められることが多かった。しかし、ゴミ埋め場では、廃水、臭気、細菌などの二次公害が発生し、土地に対する被害も深刻であり、且つ新しいゴミ埋め場を設立するための土地を得ることが困難である。そのため、ゴミをゴミ焼却炉で焼却することが多くなっている。しかしながら、有機廃棄物は、体積が膨大であり、水分含有率は約９０％であり、発熱量が高くないので、日本と欧米などの先進国は生物処理法などの方法で有機廃棄物を処理する。
【０００４】
地球はただ一つあり、世界の人口が増加しているので、人類の毎日のゴミ発生量も増加しており、現在、台湾の一年間のゴミ発生量は数千万トンになり、有機廃棄物は約２５０万トンにもなる。
【考案の開示】
【考案が解決しようとする課題】
【０００５】
本考案の主な目的は、廃棄物を燃焼している過程中に発生する排気ガスを二次燃焼可能な廃棄物処理装置を提供することにある。
【課題を解決するための手段】
【０００６】
上記目的を達成するために本考案の廃棄物処理装置は、廃棄物を輸送するための投入口とコンベヤーと排出口とを有する輸送装置と、廃棄物を圧搾するための二つのロールを有する圧搾装置と、収容空間の内部に輸送設備が設けてある火炙り装置と、加熱制御器と送風装置とが設けてある送風加熱装置と、送風加熱装置と接続するガス輸送管を有し、ガスが火炙り装置に輸送されて、火炙り装置で発生された排気ガスがガス輸送管を通過して二次燃焼をする燃焼装置と、を含むことを特徴とする。
【０００７】
前記輸送装置の底部にロールが複数に設けられている。
また、前記圧搾装置の下には、廃棄物を圧搾したときに発生する水を収集するための水集めユニットが設けられている。
前記ロールは回転可能な切削工具であり、前記輸送設備は、コンベヤーと、複数のローラとを含むことを特徴とする。
【０００８】
前記火炙り装置の貯蔵箱は廃棄物輸送管の一端と連結しており、前記廃棄物輸送管の他端が前記燃焼装置の投入口と連結していることを特徴とする。
また、前記火炙り装置には温度センサーが設けられており、温度が低下したときには、ケーブルを介して温度センサーと電気的に接続している温度制御器でガスによって加熱される。
【０００９】
前記送風装置は送風機を含み、前記燃焼装置は廃棄物を燃焼するゴミ焼却炉であることを特徴とする。
（考案の効果）
【００１０】
本考案の廃棄物処理装置によれば、廃棄物を燃焼している過程中に発生された排気ガスを二次燃焼することができる。
【考案を実施するための最良の形態】
【００１１】
以下、本考案の実施形態を図面に基づいて説明する。
まず、図１から図３を参照する。図１は本考案の構成およびガス輸送経路を示す概略図であり、図２は本考案の火炙り装置の内部の構成を示す概略図である。
【００１２】
本考案の廃棄物処理装置は、輸送装置Ａと、圧搾装置１と、火炙り装置２と、送風加熱装置３と、燃焼装置４と、を含む。
輸送装置Ａは、廃棄物を輸送するための投入口Ａ１とコンベヤーＡ２と排出口Ａ３とを有し、その底部にロールＡ４が複数設けられており、処理されていない廃棄物がコンベヤーＡ２によって排出口Ａ３に輸送されて次の工程に移る。
【００１３】
圧搾装置１は、輸送装置Ａの排出口Ａ３からの廃棄物を受けとる。圧搾装置１は、廃棄物を圧搾するための二つのロール１１を有し、図２に示すように、圧搾装置１の下方には廃棄物を圧搾したときに流れ出す廃水を収集するための水集めユニット１２が設けられている。また、ロール１１は回転可能な切削工具であってもよく、図３に示すようにロール１１により廃棄物が粉砕されると廃棄物の燃焼効率が向上する。
【００１４】
火炙り装置２は、収容空間２１の内部に輸送設備２２が設けられており、本実施例では、輸送設備２２はコンベヤーであり、コンベヤーの輸送起点である圧搾装置１の下から有機廃棄物が収容空間２１に送入されて、収容空間２１の上から下に輸送される。コンベヤーの輸送終点には貯蔵箱２３が設けられており、且つ収容空間２１内には温度センサー２４が設けられている。火炙り装置２の貯蔵箱２３は廃棄物輸送管２５の一端と連結しており、廃棄物輸送管２５の他端は燃焼装置４の投入口４０と連結しており、廃棄物輸送管２５により、貯蔵箱２３内の廃棄物が燃焼装置４に輸送されて、燃焼装置４において廃棄物を燃焼する。
【００１５】
送風加熱装置３には、加熱制御器３１と、送風装置３２とが設けられている。本実施例では、送風装置３２は送風機であり、送風装置３２の一端が輸送管３３を介して収容空間２１と連結する。
【００１６】
燃焼装置４は、本実施例ではゴミ焼却炉であり、第一ガス輸送管４１を介して送風加熱装置３と連結し、且つ送風装置３２と輸送管３３とにより空気が火炙り装置２に送入され、火炙り装置２で発生した排気ガスが第二ガス輸送管４２を通過して燃焼装置４に戻って二次燃焼する。本実施例では、燃焼装置４の有機廃棄物を燃焼しているときに発生し高熱ガスが送風加熱装置３の送風装置３２により火炙り装置２に送入されるので、前記高熱ガスにより有機廃棄物を乾燥することができる。
【００１７】
上記の説明から明らかなように、動植物の廃棄物、例えば動物の糞や野菜などの有機廃棄物は、輸送装置Ａによって圧搾装置１に輸送された後、圧搾装置１にて圧搾して水分が有機廃棄物から分離し、水分が分離された有機廃棄物は、圧搾装置１の下にある輸送設備２２に落下し、輸送設備２２によって収容空間２１の内部に送入され、燃焼装置４で発生した高熱ガスによって乾燥される。なお、収容空間２１の内部の温度が低下したときは、温度センサー２４が温度低下の信号を送風加熱装置３にある加熱制御器３１に伝送して、加熱制御器３１によって収容空間２１の内部の温度を上昇させる。乾燥させた有機廃棄を、収容空間２１の底部にある貯蔵箱２３に落下させて、廃棄物輸送管２５によって燃焼装置４に輸送し、乾燥させた有機廃棄物を燃焼装置４の燃料とすることができる。
【００１８】
再び、図１を参照する。乾燥させた有機廃棄物は燃焼装置４の燃料とすることができるので、燃料代を節約することができる。そして乾燥させた有機廃棄物を燃焼して発生する高熱な排気ガスは、収容空間２１の内部において火炙りの熱源とすることができ、且つ収容空間２１を通過した前記排気ガスは再び燃焼装置４に送入されて二次燃焼をするので、燃焼装置４で発生する排気ガスによる二次汚染を回避することができる。
【００１９】
なお、本考案は前記実施形態に限定されるものではなく、本考案の趣旨に基づいて種々変形させることが可能であり、それらを本考案の範囲から排除するものではない。
【図面の簡単な説明】
【００２０】
【図１】本考案の廃棄物処理装置の構成およびガス輸送経路を示す概略図である。
【図２】本考案の火炙り装置の内部の構成を示す概略図である。
【図３】本考案の圧搾装置の別の実施形態を示す概略図である。
【符号の説明】
【００２１】
１：圧搾装置、２：火炙り装置、３：送風加熱装置、４：燃焼装置、１１：ロール、１２：水集めユニット、２１：収容空間、２２：輸送設備、２３：貯蔵箱、２４：温度センサー、２５：廃棄物輸送管：３１：加熱制御器、３２：送風装置  、３３：輸送管、４０：投入口、４１：第一ガス輸送管、４２：第二ガス輸送管、Ａ：輸送装置、Ａ１：投入口、Ａ２：コンベヤー、Ａ３：排出口Ａ４：ロール
【図１】
0003141449.tif 000003
【図２】
0003141449.tif 000004
【図３】
0003141449.tif 000005
【手続補正書】
【提出日】平成20年2月28日(2008.2.28)
【手続補正１】
【補正対象書類名】実用新案登録請求の範囲
【補正対象項目名】請求項１
【補正方法】変更
【補正の内容】
【請求項１】
廃棄物を輸送するための投入口とコンベヤーと排出口とを有する輸送装置と、
前記輸送装置から排出された廃棄物を圧搾するための二つのロールを有する圧搾装置と、
内部に輸送設備を設け、前記圧搾装置で圧搾された廃棄物を前記輸送設備によって輸送しつつ乾燥する火炙り装置と、
前記火炙り装置と接続する第２ガス輸送管を有し、前記火炙り装置で乾燥した廃棄物を燃焼する燃焼装置と、
前記燃焼装置と接続する第１ガス輸送管と加熱制御器と送風装置とを有し、前記燃焼装置で発生した高熱ガスを前記火炙り装置に供給し前記火炙り装置の内部の温度を制御する送風加熱装置とを備え、
前記火炙り装置で発生した排気ガスが前記第２ガス輸送管により前記燃焼装置に輸送されて二次燃焼することを特徴とする廃棄物処理装置。